(57)【特許請求の範囲】
【請求項１】
出入口の下枠の長手方向の両端部分に止水板を上記下枠の長手方向に対して直交する方向に立設し、出入口をドア、引戸等の閉塞部材で閉塞したとき起立すると共に出入口を閉塞部材で開放したとき倒れるような水止め板を上記止水板の間に亘って上下に回動自在に設け、上記止水板の上端に止水板カバーを下枠の長手方向の中央方向に突出するように装着した出入口の下枠部分の構造において、出入口を介して連通する部屋空間のうち一方の部屋空間に隣接する側で止水板カバーの一端と止水板の一端とを回転自在に支持し、出入口を介して連通する部屋空間のうち他方の部屋空間に隣接する側で止水板カバーの他端と止水板の他端とを係脱自在に支持したことを特徴とする出入口の下枠部分の構造。
【請求項２】
水止め板で止水された水を集水して排水経路に排水するような排水溝を上記下枠の長手方向に亘って設け、上記排水溝の上面開口を閉塞する蓋を設け、上記蓋が上記排水溝の上面開口に着脱自在にした可動蓋と上記排水溝の上面開口に固定される固定蓋とを有し、上記固定蓋に閉塞部材を出入口に装着する支持部材を装着したことを特徴とする請求項１に記載の出入口の下枠部分の構造。
【請求項３】
上記固定蓋に長孔を穿設し、上記長孔にスライド自在に固着具を挿通し、上記固着具を介して支持部材を固定蓋に装着したことを特徴とする請求項２に記載の出入口の下枠部分の構造。
【請求項４】
出入口を介して連通する部屋空間のうち一方の部屋空間に隣接する側にあたる下枠の一端の上部にフランジ片を水平に突設し、上記フランジ片を一方の部屋空間の床面の上面に沿わせたことを特徴とする請求項１に記載の出入口の下枠部分の構造。
【請求項５】
下枠を床パン等に設けた下枠設置部に固着具を介して固着し、上記固着具が、下枠に設けた取付孔に上方から挿通して下枠設置部に螺合するボルトと、上記ボルトが挿通すると共に下枠の下枠設置部への対向面に対する反対面と上記ボルトの頭部との間で挟持されるワッシャ及び乾式シール材とから構成され、ワッシャをボルトの頭部側に位置させると共に乾式シール材を上記下枠の下枠設置部への対向面に対する反対面側に位置させるようにワッシャと乾式シール材とを積層配置し、ワッシャ及び乾式シール材の平面中央部にボルト挿通孔を形成し、上記ワッシャ及び乾式シール材の平面中央部をボルトの頭部側に位置させると共にワッシャ及び乾式シール材の外径部分を下枠設置部側に位置させるような円錐帯体形状にワッシャ及び乾式シール材を形成したことを特徴とする請求項１に記載の出入口の下枠部分の構造。
【請求項６】
出入口を介して連通する部屋空間のうち他方の部屋空間に隣接する側にあたる下枠の他端部に下枠に対して上下に移動自在に型枠を設け、上記型枠の上部に床面載置片を水平方向に突設し、上記床面載置片を上記他方の部屋空間の床面の上面に沿わせたことを特徴とする請求項４に記載の出入口の下枠部分の構造。
【発明の詳細な説明】
【０００１】
【発明の属する技術分野】
本発明は浴室等の出入口の下枠部分の構造に関し、詳しくは出入口をドア等の閉塞部材で閉塞した際に出入口の床面部分において、浴室から隣室への水の浸入を防ぐように水止め部材が立ち上がるような防水手段を備えた出入口の下枠部分の構造に関する発明である。
【０００２】
【従来の技術】
近年、浴室と脱衣所との間、つまり、浴室の出入口には段差を設けないバリアフリー工法が用いられることが多くなってきているが、この場合、浴室で使用した浴水の脱衣所への侵入を防ぐように上記浴室の出入口には止水手段を備えたものがあった。
【０００３】
この止水手段として例えば図１３に示すようなものがあり、これは、浴室Ａの出入口１の下枠２の長手方向に亘って水止め板５が上記下枠２に対して上下に回動自在に配設され、出入口１を開閉する扉等の閉塞部材（図示せず）の開閉動作に上記水止め板５の回動動作を連動させた止水手段である。つまり、出入口１を閉塞部材が閉塞した際には水止め板５が起立し、浴水の浴室Ａから脱衣所Ｂへの浸入を防ぎ、出入口１を閉塞部材が開放した際には水止め板５が水平に倒れ、出入口１にバリアフリー構造を形成するようにしたものである。また、上記下枠２の長手方向の両端部には止水板３が上記下枠２の長手方向に対して直交する方向に立設し、上記止水板３の上端に止水板カバー６を下枠２の長手方向の中央方向に突出するように装着しているものである。この止水板カバー６は上方に回動した状態の水止め板５と止水板３との間の隙間を被覆するものであって、止水板３の浴室Ａ側の端部にねじ止めされると共に止水板３の脱衣所Ｂ側の端部に係合されて装着されているものである。
【０００４】
【発明が解決しようとする課題】
ところで、上記止水手段においても浴室Ａ同様に直接水に触れる部分であって適宜清掃が必要とされるものであるが、この清掃作業は、図１４に示すように、止水板３と止水板カバー６とを螺着したねじ７１を外し［図１４（ａ）］、止水板３から止水板カバー６を取り外し［図１４（ｂ）］、水止め板５を下枠２から外し［図１４（ｃ）］、下枠部分の清掃をするものである。
【０００５】
このように出入口の下枠部分の清掃作業の際には、清掃用具の他に止水板３と止水板カバー６とを螺着したねじ７１を外すためのドライバー等の工具７２が必要となり、清掃作業に煩雑さを感じさせるものであった。
【０００６】
本発明は上記の点に鑑みてなされたものであり、清掃用具のみ使用して清掃作業を行うことができ、更に、シール性及び外観の向上を図った出入口の下枠部分の構造を提供することを課題とするものである。
【０００７】
【課題を解決するための手段】
上記課題を解決するために本発明の請求項１に係る出入口の下枠部分の構造は、出入口１の下枠２の長手方向の両端部分に止水板３を上記下枠２の長手方向に対して直交する方向に立設し、出入口１をドア、引戸等の閉塞部材４で閉塞したとき起立すると共に出入口１を閉塞部材４で開放したとき倒れるような水止め板５を上記止水板３の間に亘って上下に回動自在に設け、上記止水板３の上端に止水板カバー６を下枠２の長手方向の中央方向に突出するように装着した出入口の下枠部分の構造において、出入口１を介して連通する部屋空間のうち一方の部屋空間に隣接する側で止水板カバー６の一端と止水板３の一端とを回転自在に支持し、出入口１を介して連通する部屋空間のうち他方の部屋空間に隣接する側で止水板カバー６の他端と止水板３の他端とを係脱自在に支持したことを特徴とする。これにより、上記構成を有する出入口の下枠部分を清掃する際には、上記清掃の前段階として、止水板カバー６を上記水止め板５の下枠２からの取り外しに妨げにならないように位置させて水止め板５を下枠２から取り外すといった清掃前作業が行われるものであるが、この清掃前作業において、本発明では止水板カバー６と止水板３とのそれぞれの他端での係合を外して止水板カバー６を止水板３に対してそれぞれの一端を中心として上方に回動させることで水止め板５の下枠２からの取り外しを行うことができ、これは、止水板３と止水板カバー６とを螺着したねじ７１を取り外して止水板カバー６を止水板３から取り外すことで水止め板５の下枠２からの取り外しを行うといった従来の清掃前作業に比べて簡単に清掃作業を行うことができるものであり、すなわち、上記本願の清掃前作業及び清掃作業においては清掃用具以外の道具を用いることなく行うことができるものであり、上記ねじ７１を取り外すためのドライバー等の工具７２を用意しなければならない上記従来の清掃前作業及び清掃作業に比べて出入口の下枠部分の清掃作業の作業性の向上が図られているものである。
【０００８】
また、本発明の請求項２に係る出入口の下枠部分の構造は、請求項１において、水止め板５で止水された水を集水して排水経路に排水するような排水溝７を上記下枠２の長手方向に亘って設け、上記排水溝７の上面開口７ａを閉塞する蓋８を設け、上記蓋８が上記排水溝７の上面開口７ａに着脱自在にした可動蓋８ａと上記排水溝７の上面開口７ａに固定される固定蓋８ｂとを有し、上記固定蓋８ｂに閉塞部材４を出入口に装着する支持部材９を装着したことを特徴とする。これにより、閉塞部材４を出入口１に装着する支持部材９を上記固定蓋８ｂに装着したことで出入口１に対して支持部材９及び閉塞部材４を安定的に固定させることができ、また、上記排水溝７の上面開口７ａに着脱自在にした可動蓋８ａを設けたことで上記可動蓋８ａを取り外して排水溝７を清掃することもできるものである。
【０００９】
また、本発明の請求項３に係る出入口の下枠部分の構造は、請求項２において、上記固定蓋８ｂに長孔１０を穿設し、上記長孔１０にスライド自在に固着具１１を挿通し、上記固着具１１を介して支持部材９を固定蓋８ｂに装着したことを特徴とする。これにより、施工現場毎に相違する施工条件、例えば、出入口１を開閉する閉塞部材４の種類や出入口１の寸法形状、閉塞部材４を出入口に装着する支持部材９の種類やその寸法形状等に合わせて、施工現場毎に位置調整を行って所定の取付位置に上記支持部材９を取り付けることができ、つまり、下枠２及び支持部材９の汎用性を向上させているものである。
【００１０】
また、本発明の請求項４に係る出入口の下枠部分の構造は、請求項１において、出入口１を介して連通する部屋空間のうち一方の部屋空間に隣接する側にあたる下枠２の一端の上部にフランジ片１２を水平に突設し、上記フランジ片１２を一方の部屋空間の床面の上面に沿わせたことを特徴とする。従来、出入口１の下枠２と一方の部屋空間の床面との間には介在したシール材２８が露出し、このシール材２８はカビ等が付着しやすく外観の低下の要因になり得るものであったが、上述したように下枠２に設けたフランジ片１２が一方の部屋空間の床面の上面に沿うことから、上記フランジ片１２によって上述したシール材２８を露出しないようにすることができ、上記出入口１の外観の向上が図られるものである。
【００１１】
また、本発明の請求項５に係る出入口の下枠部分の構造は、請求項１において、下枠２を床パン１３等に設けた下枠設置部１４に固着具１５を介して固着し、上記固着具１５が、下枠２に設けた取付孔１６に上方から挿通して下枠設置部１４に螺合するボルト１７と、上記ボルト１７が挿通すると共に下枠２の下枠設置部１４への対向面に対する反対面と上記ボルト１７の頭部１７ａとの間で挟持されるワッシャ１８及び乾式シール材１９とから構成され、ワッシャ１８をボルト１７の頭部１７ａ側に位置させると共に乾式シール材１９を上記下枠２の下枠設置部１４への対向面に対する反対面側に位置させるようにワッシャ１８と乾式シール材１９とを積層配置し、ワッシャ１８及び乾式シール材１９の平面中央部にボルト挿通孔２０を形成し、上記ワッシャ１８及び乾式シール材１９の平面中央部をボルト１７の頭部１７ａ側に位置させると共にワッシャ１８及び乾式シール材１９の外径部分を下枠設置部１４側に位置させるような円錐帯体形状にワッシャ１８及び乾式シール材１９を形成したことを特徴とする。これにより、下枠２を床パン１３等に設けた下枠設置部１４に固着する際に上述したような構成を有する固着具１５を用いて行うことで、固着具１５を強く締め付けた際に上記固着具１５のワッシャ１８及び乾式シール材１９が略水平に変形して、乾式シール材１９の下面全体が下枠２の下枠設置部１４への対向面に対する反対面に圧接されるものであり、通常の面一形状の乾式シール材を有した固着具において起こっていた上記固着具を強く締めつけた際に上記面一形状の乾式シール材の外径部分が下枠２の下枠設置部１４への対向面に対する反対面から浮いしまって下枠２と下枠設置部１４との固着部分のシール性を劣化させてしまっていたようなことを避けることができるものであり、下枠２の下枠設置部１４への取り付けが確実なシール性を有して行うことができるものであり、従って、例えば下枠２の下枠設置部１４へ取付位置がシール性を要求される排水溝７の部分で行われる場合でも排水溝７のシール性を損なわずに下枠２の下枠設置部１４への取り付けを行うことができるものである。
【００１２】
また、本発明の請求項６に係る出入口の下枠部分の構造は、請求項４において、出入口１を介して連通する部屋空間のうち他方の部屋空間に隣接する側にあたる下枠２の他端部に下枠２に対して上下に移動自在に型枠２０を設け、上記型枠２０の上部に床面載置片２１を水平方向に突設し、上記床面載置片２１を上記他方の部屋空間の床面の上面に沿わせたことを特徴とする。これにより、上記フランジ片１２を一方の部屋空間の床面の上面に沿わせると共に下枠設置部１４に下枠２を装着させた際に、他方の部屋空間の床面の上面と下枠２の上面との間に段差が生じてしまった場合にも、上記下枠２に対して型枠２０を上下に移動させて型枠２０の床面載置片２１を上記他方の部屋空間の床面の上面に沿わせることができ、つまり、出入口１での確実な下枠２の設置が行われてシール性を工場させると共に、出入口１での段差を略無くすることができて出入口１のバリアフリー構造が確保されるものである。
【００１３】
【発明の実施の形態】
以下、本発明を添付図面に示す実施形態に基づいて説明する。
【００１４】
図１乃至図１０に本発明の実施の形態の例を示す。本発明は、脱衣所Ｂに連通する浴室Ａの出入口１を形成する下枠部分の構造に関するものであり、浴室Ａで使用した浴水の脱衣所Ｂへの浸入を防止するように上記出入口１の下枠２には止水手段を備えているものである。この止水手段としては、従来技術の項でも述べたが、浴室Ａの出入口１の下枠２の長手方向に亘って水止め板５を上記下枠２に対して上下に回動自在に配設し、上記水止め板５を下枠２に対して上方に回動、すなわち下枠２に対して起立させることで浴室Ａから脱衣所Ｂに浸入しようとする浴水を止水するものである。また、この水止め板５の長手方向の両端、すなわち、出入口１の下枠２の長手方向の両端部には上記出入口１の下枠２の長手方向に対して直交する方向に止水板３を立設しており、上記止水板３の上端に止水板カバー６を下枠２の長手方向の中央方向に突出するように設けているものである。この止水板カバー６は上方に回動した状態の水止め板５と止水板３との間の隙間を被覆し、上記水止め板５と止水板３との間から脱衣所Ｂに浸入しようとする浴水を止水するものである。しかして、上方に回動して下枠２に対して起立した水止め板５、止水板３及び止水板カバー６によって浴室Ａと脱衣所Ｂとの間が完全に遮断され、浴室Ａから脱衣所Ｂへ浸入しようとする浴水を止水することができるものである。
【００１５】
以上、出入口の下枠部分の構造を簡単に説明したが、以下、上述した出入口の下枠部分の構造を構成する各部材について叙述する。
【００１６】
出入口の下枠部分の構造を構成する出入口１の下枠２は、図４に示すように、長手方向に亘って同じ断面を有するような押出し成形等で形成された型材であって、浴室Ａ側から浴室当接部２２、排水部２３、止水部２４、型枠装着部２５を連設すると共に上記各部を一体化した構成を有しているものである。以下、上記各部を詳述する。
【００１７】
浴室当接部２２は、浴室Ａの出入口１に下枠２を設置した際に浴室当接部２２の浴室Ａ側の端部を浴室Ａの床面Ａ１に当接する当接面２６を有した部分である。この浴室当接部２２の上面は蓋載置面２７を形成している。この蓋載置面２７は後述する排水部２３の蓋８の一部が載置される部分であり、上記蓋８を蓋載置面２７に載置させた際に下枠２の上面を略面一に連続させるためにその高さ位置を上記蓋８の厚み分下枠２の上面より下方に位置させている。また、上記蓋載置面２７の浴室Ａ側の端部には下枠２の長手方向に亘って浴室Ａ側に水平突出したフランジ片１２を突設している。このフランジ片１２は、下枠２を浴室Ａと脱衣所Ｂとの間に配設した際に、浴室Ａの床面Ａ１の上に位置されるものであって、上記当接面２６と浴室Ａの床面Ａ１との当接部分を被覆するものである。この当接部分には防水を期してシール材２８等が介在されるものであるが、上記フランジ片１２がカビ等が付着し易く外観の低下を招き得る上記シール材２８を露出させないようにしていることで浴室Ａの出入口１の外観が向上しているものである。なお、このフランジ片１２は排水部２３の蓋８と略同様の厚さを有する片で構成されており、蓋載置面２７に載置して上記フランジ片１２に隣接した上記蓋８と略面一の連続した平面を形成するものである。
【００１８】
排水部２３は、上方開口７ａを有した排水溝７を下枠２の長手方向に亘って形成した部分である。この排水溝７は一対の立設片２９と上記立設片２９の下端を連結した底片３０とで構成されたものであるが、一対の立設片２９のうち一方の立設片２９ａは浴室当接部２２の一部と共用すると共に一対の立設片２９のうち他方の立設片２９ｂは止水部２４の一部と共用している。ここで、上記止水部２４に隣接した他方の立設片２９ｂには上記他方の立設片２９ｂを貫通する連通孔３１を形成し、後述する止水部２４の止水溝４３と上記排水溝７とを上記連通孔３１が連通させているものであり、また、底片３０には浴室Ａの排水経路等に連通する排水トラップ３２を設けている。すなわち、排水部２３は、後述する止水部２４で止水した浴水を上記連通孔３１を介して排水溝７に流入させると共に、上記浴水を排水トラップ３２を介して排水溝７から排水経路に排水する働きを有する部分である。
【００１９】
上記排水溝７の上方開口７ａには上記上方開口７ａを閉塞すると共に下枠２の上面を面一に形成する蓋８が配設される。ここで、止水部２４に隣接する他方の立設片２９ｂの上部には、上記蓋８を載置すると共に後述する止水部２４に設けた水止め板５の板部６８の先端を載置するような受け片３３を形成している。上記蓋８は、脱衣所Ｂ側の端部で上記受け片３３に載置されると共に浴室Ａ側の端部で浴室当接部２２の蓋載置面２７に載置されて、上述したように排水溝７の上方開口７ａを閉塞するように配設されるものである。なお、この排水部２３はその上方位置において出入口１を開閉する閉塞部材４を位置させており、上記閉塞部材４を出入口１に装着する支持部材９が上記蓋８に取り付けられるものである。
【００２０】
本例においては図５及び図６に示すように、上記蓋８は、排水溝７の上面開口７ａに着脱自在にした可動蓋８ａと上記排水溝７の上面開口７ａに固定される固定蓋８ｂとから構成させているものである。上記固定蓋８ｂ及び可動蓋８ａはいずれも、排水溝７の上方開口７ａに亘る蓋板３７の下面の適所に一対の下方に突出した下方突片３８を設けて構成されたものであり、排水溝７を構成する一対の立設片２９に上記一対の下方突起３８をそれぞれ当接させることで上記固定蓋８ｂ及び可動蓋８ａを排水溝７に係合させて着脱自在にしているものである。固定蓋８ｂにおいては、更に、上記蓋板３７と浴室当接部２２の蓋載置面２７とを複数個のビス３９を介して螺着させているものである。
【００２１】
この排水溝７は上述したように止水部２４で止水した浴水を排水する部分であって直接水に触れる部分であることから適宜清掃が必要とされるものであるが、排水溝７に対して着脱自在にした可動蓋８ａを設けたことで、排水溝７の上部開口７ａを開放して排水溝７の清掃を可能にしているものである。なお、本例では、固定蓋８ｂは下枠２の長手方向の端部近傍位置に設けられており、可動蓋８ａは上記固定蓋８ｂを配設した排水溝７の残りの部分の上方開口７ａに配設しているものである。そして、排水溝７の清掃を行い易くするために、固定蓋８ｂを極力小さくすると共に可動蓋８ａを大きくしているものである。
【００２２】
また、本例は、固定蓋８ｂの端部に排水溝７を上下に遮断する遮断壁片４０（図７）を配置して、固定蓋８ｂの下方部分を浴水が入らないような防水部分４１を形成させているものであり、後述する水止め板５を上下回動させる水止め板駆動ユニット４２等を上記防水部分４１に取り付けたりすることで、水垢等の付着し易い水止め板駆動ユニット４２等への水の接触をなくすことができて下枠部分の衛生状態の向上や外観の向上を図ることができるものである。
【００２３】
また、本例では、閉塞部材４として出入口１の開口幅の一端で枢支される回動ドア３６を用いると共に、上記支持部材９として上記回動ドア３６の回動軸３６ａを枢支する軸受け状の枢支部材３４を用いており、上記枢支部材３４を上記固定蓋８ｂに取り付けている。これは、排水溝７に固定される固定蓋８ｂに上記枢支部材３４を固定することで出入口１に安定的に閉塞部材４を装着することを期しているものである。この固定蓋８ｂへの枢支部材３４の取り付けは、本例では、図５及び図７に示すように、上記固定蓋８ｂに下枠２の長手方向に長手形状を有した長孔１０を穿設し、上記長孔１０にスライド自在に挿通したビス等の固着具１１を介して行われている。これにより、枢支部材３４の固定蓋８ｂへの取り付けに寸法的に自由度を持たせることができて、施工現場毎に相違する施工条件、例えば、出入口１を開閉する閉塞部材４の種類や出入口１の寸法形状、閉塞部材４を出入口１に装着する枢支部材３４の種類やその寸法形状等に合わせて、施工現場毎に位置調整を行いつつ所定の取付位置に上記枢支部材３４を取り付けることができるものであり、つまり、下枠２及び枢支部材３４の汎用性を向上させているものである。
【００２４】
止水部２４は、上述した水止め板５を配置する部分であり、また、上記水止め板５により止水した浴水を集水する止水溝４３を上方開口４３ａを有すると共に下枠２に長手方向に亘って形成した部分である。この止水溝４３は上述した排水溝７に並設されるものであって、排水溝７を形成した他方の立設片２９ｂと、上記他方の立設片２９ｂに対向して立設した押さえ片４４と、上記押さえ片４４の下端と上記他方の立設片２９ｂとを連結した斜底片４５とで構成されている。ここで、斜底片４５は、上記止水溝４３に集水した水止め板５による止水した浴水を連通孔３１に流し込み易くするように、他方の立設片２９ｂ側、つまり、排水溝７側を下方にした傾斜を持たせているものであり、また、上記押さえ片４４は、水止め板５の基部６９を被嵌する軸受部４６の一部を構成しているものである。ここで、水止め板５の基部６９とは、後述するが回動する水止め板５の回動中心部をいうものである。上記軸受部４６は、止水溝４３の脱衣所Ｂ側に隣接して設けられると共に上方開口４６ａを有した部屋状に形成したものであり、水止め板５の基部６９を回転自在に被嵌し、水止め板５が下枠２に対して上方に回動して略垂直に起立した状態になったときにのみ上記上方開口４６ａから水止め板５の基部６９が引き抜き得る構造を有しているものである。
【００２５】
型枠装着部２５は、後述する型枠２０を下枠２に対して上下に移動自在に装着する部分である。この型枠装着部２５は、図８に示すように、止水部２４との間に隙間３５を設けると共に下枠２の長手方向に亘ると共に脱衣所Ｂ側に水平突設したひれ片４７を有している。上記ひれ片４７には、上下に貫通する貫通孔４８を下枠２の長手方向に間隔を有して複数形成してあり、上記貫通孔４８に調整ボルト４９を上下移動しないで回転自在にのみ取り付けているものである。詳述すると、上記調整ボルト４９は、図８（ｂ）に示すように、その頭部４９ａの外周に亘って調整ボルト４９の軸方向へ凹設した外周溝５０を形成しており、上記外周溝５０にひれ片４７の貫通孔４８の周縁部分を位置させて遊嵌しているものである。なお、上記ひれ片４７は下枠２の上面に比べて下方位置に配設されるものである。
【００２６】
この型枠装着部２５に上下に移動自在に装着される型枠２０は、型枠装着部２５と止水部２４との間の隙間３５に挿入される位置決め片５２と、型枠装着部２５のひれ片４７に対向して調整ボルト４９が螺合される調整孔５３を穿設した水平片５４と、脱衣所Ｂの床面Ｂ１の上に載置される床面載置片２１とを有して構成されるものであって、型枠装着部２５に対して下方から被覆するように位置させて配置されるものである。この型枠２０は、型枠装着部２５のひれ片４７に上下移動せずに回転自在にのみ配置した調整ボルト４９が調整孔５３に螺合されることで型枠装着部２５に対して、つまり、下枠２に対して上下に移動自在に装着されるものである。この調整ボルト４９の回動による型枠２０の下枠２に対する上下移動は、後述するように下枠２を下枠設置部１４に設置した後の施工の最終段階において行われるものであって、脱衣所Ｂの床面Ｂ１の上に床面載置片２１を載置するように型枠２０を下枠２に対して上下に調整・移動させるものである。これによって、たとえ下枠２を下枠設置部１４に設置した際に下枠２の上面と脱衣所Ｂの床面Ｂ１との間に段差が生じてしまっても型枠２０の床面載置片２１を確実に脱衣所Ｂの床面Ｂ１に載置させることができて、上記段差を吸収できるものである。なお、上記調整ボルト４９の上方位置には下枠２の上面と型枠２０の床面載置片２１とを架設する蓋材５５が配設されるものである。
【００２７】
上述した構成を有する下枠２は、浴室Ａと脱衣所Ｂの間の出入口１に配設されるものであるが、具体的には、図１に示すように、浴室Ａの床パン１３や建物躯体等に設けた下枠設置部１４に排水部２３の底片３０の下面を対向させて載置させ、ビス止め固定されるものである。つまり、排水部２３の底片３０に上下に貫通する取付孔１６を下枠２の長手方向に間隔を有して複数形成し、上記取付孔１６に挿通した固着具１５を介して上記底片３０を下枠設置部１４に螺着させている。ここで、排水溝７は止水部２４で止水した浴水を排水経路に流す働きを有する部分であって上記取付孔１６と固着具１５との間にはシール性が求められるものである。上記固着具１５を介しての下枠２の下枠設置部１４への取り付け構造の詳細を以下に示す。
【００２８】
図７に示すように、上記固着具１５は、底片３０の取付孔１６に上方から挿通して下枠設置部１４に螺合するボルト１７と、上記ボルト１７が挿通すると共に底片３０の上面と上記ボルト１７の頭部１７ａとの間で挟持されるワッシャ１８及び乾式シール材１９とから構成されるものであって、上記ワッシャ１８及び乾式シール材１９はその平面中央部をボルト１７の頭部１７ａ側に位置させると共にその外径部分を底片３０の上面側に位置させるような円錐帯体形状に形成したものを用い、ワッシャ１８をボルト１７の頭部１７ａ側に位置させると共に乾式シール材１９を底片３０の上面側に位置させるように積層配置したものである。
【００２９】
上述したような構成を有する固着具１５を用いて、下枠２を下枠設置部１４に螺着させるようにボルト１７を強く締め付けた際には上記ワッシャ１８及び乾式シール材１９が略水平に変形して、乾式シール材１９の下面全体が底片３０の上面に圧接されるものであり、下枠２の下枠設置部１４への取り付けに確実なシール性を備えさせることができるものである。従って、排水溝７のシール性を損なわずに下枠２の下枠設置部１４への取り付けが為されるものである。
【００３０】
このように下枠設置部１４にシール性を備えて取り付けられる下枠２は浴室Ａと脱衣所Ｂとの間に配設されるものであるが、このとき、前述したように浴室Ａの床面Ａ１には下枠２の浴室当接部１４のフランジ片１２が載置されると共に脱衣所Ｂの床面Ｂ１には型枠２０の床面載置片２１が載置されるものである。上記下枠２の止水部２４に取り付けた水止め板５が水平に倒れて止水溝４３の上方開口４３ａを閉塞するように蓋をした状態においては、浴室Ａの床面Ａ１からフランジ片１２、蓋８（可動蓋８ａ及び固定蓋８ｂ）、水止め板５、蓋材５５、床面載置片２１が略水平に連続して脱衣所Ｂの床面Ｂ１に至り、浴室Ａの床面Ａ１と脱衣所Ｂの床面Ｂ１との間が段差のないバリアフリー構造になるものである。
【００３１】
止水板３は、上述したように、出入口１の下枠２の長手方向の両端部に下枠２の長手方向に対して直交する方向に立設するものであり、本例では、下枠２の止水部２４の長手方向の両端部を被覆するように略直角三角形状に形成した板状体で構成される。詳述すると、上記止水板３の垂直辺端部３ａを排水部２３と止水部２４との間に位置する他方の立設片２９ｂに沿わせると共に上記止水板３の底辺端部３ｂを止水部２４の斜底片４５に沿わせ、上記垂直辺端部３ａに設けた切欠５６に受け片３３を係合させる等、適所において下枠２に係止・係合させて止水板３を下枠２に位置決めし、そして、上記止水板３の底辺端部３ｂと斜辺端部３ｃとが隣接する部分に止水板３を貫通する装着孔５７を形成し、上記装着孔５７に挿通すると共に下枠２に螺合する取付ビス６５を介して止水板３を下枠２に装着させている。
【００３２】
また、上記止水板３は、下枠２に取り付けた際に下枠２の止水部２４の軸受部４６に対応する位置において、水止め板５の基部６９を回動自在に枢支する水止め板回動軸５８を下枠２の長手方向の中央方向に突設させている。また、止水板３の斜辺端部３ｃの垂直辺端部３ａ側には下枠２の長手方向の中央方向に突設したブロック体で構成されたカバー係合部５９を設けると共に、止水板３の斜辺端部３ｃの底辺端部側３ｂには下枠２の長手方向の中央方向に突設したカバー回動軸６０を有したカバー回動部６１を設けている。ここで、カバー係合部５９のブロック体には浴室Ａ方向に凹設した係脱凹所６２を形成しているものである。
【００３３】
止水板カバー６は、上述したように、止水板３の上端において下枠２の長手方向の中央方向に突出するように設けるものであり、本例では、上記止水板カバー６は、止水板３の斜辺端部３ｃに沿うような柱状体で構成されるものであって、上記止水板カバー６の長手方向の一端が止水板３のカバー回動部６１に回動自在に枢支されると共に、上記止水板カバー６の長手方向の他端が止水板３のカバー係合部５９に係脱自在に支持されるものである。詳述すると、上記止水板カバー６の一端には止水板３のカバー回動部６１が有するカバー回動軸６０を挿通する軸挿通孔６３が穿設されており、また、上記止水板カバー６の他端には止水板３のカバー係合部５９の係脱凹所６２に係止されるＬ字状片の係合突起片６４が突設されると共に、上記止水板カバー６の止水板３への係合状態を維持するために係脱凹所６２に挿通させるピンを挿通し得るピン孔６６が形成されている。また、上記止水板カバー６には、上記止水板カバー６の他端が止水板３のカバー係合部５９に係合した状態で、垂直下方に延出すると共にその下端を止水板３の水止め板回動軸５８に当接する水止め板規制片６７を設けている。
【００３４】
上述した構成を有する止水板カバー６は、その一端と止水板３のカバー回動部６１との枢支部分を中心として下枠２に対して上下に回動するものであるが、止水板カバー６が止水板３の斜辺端部３ｃに沿った状態から止水板カバー６が下枠２に対して鈍角を形成するような状態に至るような回動範囲を有するものである。なお、通常使用状態では、この止水板カバー６は止水板３の斜辺端部３ｃに沿って配置すると共に止水板カバー６の他端を止水板３のカバー係合部５９に係合した状態、つまり、止水板カバー６の係合突起片６４と止水板３の係脱凹所６２とを係合した状態にしておくものである。
【００３５】
水止め板５は、上述したように、下枠２の長手方向に亘って配置されると共に、下枠２に対して上下に回動動作を行う板状体であり、下枠２に対して上方に回動、すなわち下枠２に対して起立させることで浴室Ａから脱衣所Ｂに浸入しようとする浴水を止水するものである。本例では、水止め板５は、下枠２の長手方向に亘って長手形状を有する扁平板状の板部６８と上記板部６８の一方の短手方向端部に縦断面Ｃ字状に形成した基部６９とで構成されるものである。そして、この水止め板５は、上記基部６９において止水板３の水止め板回動軸５８に回動自在に枢支されると共に下枠２の止水部２４に配置されるものであるが、これは、上記水止め板５の基部６９が止水板３の水止め板回動軸５８に回転自在に枢支されると共に、上記水止め板５の基部６９の外面部が下枠２の止水部２４に形成した軸受部４６により回転自在に被嵌されて構成されているものである。なお、止水板カバー６が止水板３の斜辺端部３ｃに沿って配置される通常使用状態においては、この水止め板５はその長手方向の両端部に止水板カバー６の水止め板規制片６７が隣接し、水止め板５の長手方向への移動が規制されて配置されている。
【００３６】
なお、この下枠２の止水部２４に配置された水止め板５は、出入口１に配設した閉塞部材４の上記出入口１を開閉する開閉動作に連動して下枠２に対して上下に回動動作を行うものであり、本例においては、この水止め板５の回動動作は水止め板駆動ユニット４２によって操作されるものである。
【００３７】
上記水止め板駆動ユニット４２は、キャップ７０を始端として水止め板５に終端を連結させたリンク機構であって、上記キャップ７０を下枠２の上面から上方に突出配置して下枠２に埋設されるものであり、出入口１を閉塞した閉塞部材４が上記キャップ７０に当接すると上記リンク機構が変形し、水止め板５を下枠２に対して上方に回動させて起立させるものである。なお、閉塞部材４がキャップ７０から離れると上記変形したリンク機構が元の形状に戻るものであって、水止め板５を下枠２に対して下方に回動させて水平に倒すものである。すなわち、この水止め板駆動ユニット４２によって水止め板５は、上記閉塞部材４が出入口１を閉塞した際には水止め板５は下枠２に対して上方に回動して起立し、上記閉塞部材４が出入口１を開放した際には下枠２に対して下方に回動して水平に倒れる、といった閉塞部材４の開閉動作に連動した上下の回動動作が行われるものである。なお、本例では、この水止め板駆動ユニット４２は、排水部２３と止水部２４との間に配設された他方の立接片２９ｂに切欠７１を設け、下枠２の止水溝４３及び排水溝７に亘って埋設されているものであり、排水溝７の上方開口７ａを閉塞する固定蓋８ｂからキャップ７０を上方に突出配置しているものである。
【００３８】
上述した各部材によって構成された出入口の下枠部分においては、閉塞部材４が出入口１を開放した際には、浴室Ａの床面Ａ１から上記出入口１を介在して脱衣所Ｂの床面Ｂ１に至るバリアフリー構造を持たせることができて、浴室利用者の上記出入口１における安全な通行を確保できるものであり、また、閉塞部材４が出入口１を閉塞した際には、浴室Ａで使用された浴水の脱衣所Ｂへの浸入が上記出入口の下枠部分に備えられた止水板３、止水板カバー６、及び上方に回動して下枠２に対して起立した状態の水止め板５、によって完全に止水することができるものであり、脱衣所Ｂの床面Ｂ１への浴水の浸入を許さないものである。この止水された浴水は、上述したが、止水溝４３で集水され、連通孔３１を介して排水溝７に流され、上記排水溝７から排水トラップ３２を介して排水経路に流されるものである。
【００３９】
ところで、上述した出入口の下枠部分においては、浴水の止水を行って上記止水した浴水を止水溝４３、排水溝７を介して排水経路に流し得るものであり、この出入口１の下枠部分においては直接水が触れる部分が多く、そのため適宜清掃をすることが好ましい。上記出入口１の下枠部分を清掃する際には、まず、図３（ａ）に示すように、止水板カバー６を下枠２に対して上方に回動させる。これは、止水板カバー６の他端における止水板３のカバー係合部５９との係合（止水板カバー６の係合突起片６４と止水板３の係脱凹所６２との係合）を外し、止水板カバー６が下枠２に対して鈍角を形成するような状態になる回動位置まで止水板カバー６を回動させるものである（矢印Ｃ）。この状態においては、止水板カバー６の水止め板規制片６７が止水板３の水止め板回動軸５８から離れるものである。次に、上記水止め板規制片６７の規制を受けなくなった水止め板５を下枠２の長手方向にスライド移動させ（矢印Ｄ）、水止め板５の基部６９の長手方向の両端を枢支した一対の水止め板回動軸５８のうち一方の水止め板回動軸５８を水止め板５の基部６９から外す。そして、図３（ｂ）に示すように、水止め板５を上方に回動させ（矢印Ｅ）、水止め板５を下枠２の軸受部４６から外す。このとき、水止め板５を被嵌する上記軸受部４６に設けた上方開口４６ａから水止め板５の基部６９を抜くことができる回動位置、つまり、水止め板５が下枠２に対して略垂直に起立する位置にまで、水止め板５を回動させるものである。
【００４０】
ここで、止水板３の斜辺端部３ｃに沿わせて配置した通常使用状態の止水板カバー６においては、水止め板５はその上方への最大回動範囲が上記通常使用状態の止水板カバー６の下面に当接して規制を受けるものであって、下枠２に対して略垂直に起立する程度にまで水止め板５を回動させることはできないものである。しかし、水止め板５を上方に回動させる前に、止水板カバー６を上方に回動させて水止め板５の上下方向への回動規制を外すことで、上述したように、水止め板５を下枠２に対して略垂直に起立する程度にまで回動させることができて、水止め板５の下枠２からの取り外しが行われるものである。このようにして、水止め板５を下枠２から取り外すことで、水止め板５を下枠２とは別個に清掃することができると共に、下枠２の止水溝４３の上方開口４３ａを完全に開放させて止水溝４３を清掃することができるものである。また、排水溝７の清掃に関しては、図６に示すように、排水溝７の上方開口７ａを閉塞している蓋８のうち下枠２に着脱自在になっている可動蓋８ａを取り外して排水溝７の上方開口７ａを開放させて清掃を行うものである。上述したような手順で、本例の出入口の下枠部分は清掃されるものであるが、止水板３と止水板カバー６とを螺着したねじ７１（図１３及び図１４）を取り外して止水板カバー６を止水板３から取り外すことで水止め板５の下枠２からの取り外しを行うといった従来の清掃前作業に比べて簡単に清掃作業を行うことができるものであり、すなわち、本例の清掃前作業及び清掃作業においては清掃用具以外の道具を用いることなく行うことができるものであり、上記ねじ７１を取り外すドライバー等の工具７２を用意しなければならない上記従来の清掃前作業及び清掃作業に比べて上記下枠部分の清掃作業の作業性の向上が図られているものである。
【００４１】
以下、実施の形態の他例を示すものである。これは、先の実施の形態の例の出入口の下枠部分の構造を構成する部品の一部を変更したものであり、上記先の実施の形態の例と重複する部分は説明を省略し、上記変更部分において詳述するものである。
【００４２】
図１１，１２に示す実施の形態の他例は、閉塞部材４として２枚の扉体を連結枢支して構成される折り畳み扉７９を用いた場合を示すものであり、出入口１の上枠７３に閉塞部材４から上方に突設したローラ７４を転接させるレール部を内装し、出入口１の下枠２の排水部２３に設けた蓋８に下枠２の長手方向に亘って上記閉塞部材４から下方に垂設した軸部７５を挿入し得る摺動溝７６を凹設したものである。なお、図１２に示すように、上記摺動溝７６には軸部７５の摺動を規制するストッパ７７を設けることも好ましい。
【００４３】
【発明の効果】
上記のように本発明の請求項１記載の出入口の下枠部分の構造にあっては、出入口の下枠の長手方向の両端部分に止水板を上記下枠の長手方向に対して直交する方向に立設し、出入口をドア、引戸等の閉塞部材で閉塞したとき起立すると共に出入口を閉塞部材で開放したとき倒れるような水止め板を上記止水板の間に亘って上下に回動自在に設け、上記止水板の上端に止水板カバーを下枠の長手方向の中央方向に突出するように装着した出入口の下枠部分の構造において、出入口を介して連通する部屋空間のうち一方の部屋空間に隣接する側で止水板カバーの一端と止水板の一端とを回転自在に支持し、出入口を介して連通する部屋空間のうち他方の部屋空間に隣接する側で止水板カバーの他端と止水板の他端とを係脱自在に支持したので、上記構成を有する出入口の下枠部分を清掃する際には、上記清掃の前段階として、止水板カバーを上記水止め板の下枠からの取り外しに妨げにならないように位置させて水止め板を下枠から取り外すといった清掃前作業が行われるものであるが、この清掃前作業において、本発明では止水板カバーと止水板とのそれぞれの他端での係合を外して止水板カバーを止水板に対してそれぞれの一端を中心として上方に回動させることで水止め板の下枠からの取り外しを行うことができ、これは、止水板と止水板カバーとを螺着したねじを取り外して止水板カバーを止水板から取り外すことで水止め板の下枠からの取り外しを行うといった従来の清掃前作業に比べて簡単に清掃作業を行うことができるものであり、すなわち、上記本願の清掃前作業及び清掃作業においては清掃用具以外の道具を用いることなく行うことができるものであり、上記ねじを取り外すためのドライバー等の工具を用意しなければならない上記従来の清掃前作業及び清掃作業に比べて出入口の下枠部分の清掃作業の作業性の向上が図られているものである。
【００４４】
また、本発明の請求項２に係る出入口の下枠部分の構造にあっては、請求項１の効果に加えて、水止め板で止水された水を集水して排水経路に排水するような排水溝を上記下枠の長手方向に亘って設け、上記排水溝の上面開口を閉塞する蓋を設け、上記蓋が上記排水溝の上面開口に着脱自在にした可動蓋と上記排水溝の上面開口に固定される固定蓋とを有し、上記固定蓋に閉塞部材を出入口に装着する支持部材を装着したので、閉塞部材を出入口に装着する軸受け等で構成される支持部材を上記固定蓋に装着したことで出入口に対して支持部材及び閉塞部材を安定的に固定させることができ、また、上記排水溝の上面開口に着脱自在にした可動蓋を設けたことで上記可動蓋を取り外して排水溝を清掃することもできるものである。
【００４５】
また、本発明の請求項３に係る出入口の下枠部分の構造にあっては、請求項２の効果に加えて、上記固定蓋に長孔を穿設し、上記長孔にスライド自在に固着具を挿通し、上記固着具を介して支持部材を固定蓋に装着したので、施工現場毎に相違する施工条件、例えば、出入口を開閉する閉塞部材の種類や出入口の寸法形状、閉塞部材を出入口に装着する支持部材の種類やその寸法形状等に合わせて、施工現場毎に位置調整を行いつつ所定の取付位置に上記支持部材を取り付けることができ、つまり、下枠及び支持部材の汎用性を向上させているものである。
【００４６】
また、本発明の請求項４に係る出入口の下枠部分の構造のあっては、請求項１の効果に加えて、出入口を介して連通する部屋空間のうち一方の部屋空間に隣接する側にあたる下枠の一端の上部にフランジ片を水平に突設し、上記フランジ片を一方の部屋空間の床面の上面に沿わせたので、従来、出入口の下枠と一方の部屋空間の床面との間には介在したシール材が露出し、このシール材はカビ等が付着しやすく外観の低下の要因になり得るものであったが、上述したように下枠に設けたフランジ片が一方の部屋空間の床面の上面に沿うことから、上記フランジ片によって上述したシール材を露出しないようにすることができ、上記出入口の外観の向上が図られるものである。
【００４７】
また、本発明の請求項５に係る出入口の下枠部分の構造にあっては、請求項１の効果に加えて、下枠を床パン等に設けた下枠設置部に固着具を介して固着し、上記固着具が、下枠に設けた取付孔に上方から挿通して下枠設置部に螺合するボルトと、上記ボルトが挿通すると共に下枠の下枠設置部への対向面に対する反対面と上記ボルトの頭部との間で挟持されるワッシャ及び乾式シール材とから構成され、ワッシャをボルトの頭部側に位置させると共に乾式シール材を上記下枠の下枠設置部への対向面に対する反対面側に位置させるようにワッシャと乾式シール材とを積層配置し、ワッシャ及び乾式シール材の平面中央部にボルト挿通孔を形成し、上記ワッシャ及び乾式シール材の平面中央部をボルトの頭部側に位置させると共にワッシャ及び乾式シール材の外径部分を下枠設置部側に位置させるような円錐帯体形状にワッシャ及び乾式シール材を形成したので、下枠を床パン等に設けた下枠設置部に固着する際に上述したような構成を有する固着具を用いて行うことで、固着具を強く締め付けた際に上記固着具のワッシャ及び乾式シール材が略水平に変形して、乾式シール材の下面全体が下枠の下枠設置部への対向面に対する反対面に圧接されるものであり、通常の面一形状の乾式シール材を有する固着具において起こっていた上記固着具を強く締めつけた際に上記面一形状の乾式シール材の外径部分が下枠の下枠設置部への対向面に対する反対面から浮いしまって下枠と下枠設置部との固着部分のシール性を劣化させてしまっていたようなこと、を避けることができるものであり、下枠の下枠設置部への取り付けが確実なシール性を有して行うことができるものであり、従って、例えば下枠の下枠設置部へ取付位置がシール性を要求される排水溝の部分を形成している場合でも排水溝のシール性を損なわずに下枠の下枠設置部への取り付けを行うことができるものである。
【００４８】
また、本発明の請求項６に係る出入口の下枠部分の構造にあっては、請求項４の効果に加えて、出入口を介して連通する部屋空間のうち他方の部屋空間に隣接する側にあたる下枠の他端部に下枠に対して上下に移動自在に型枠を設け、上記型枠の上部に床面載置片を水平方向に突設し、上記床面載置片を上記他方の部屋空間の床面の上面に沿わせたので、上記フランジ片を一方の部屋空間の床面の上面に沿わせると共に下枠設置部に下枠を装着させた際に、他方の部屋空間の床面の上面と下枠の上面との間に段差が生じてしまった場合においても、上記下枠に対して型枠を上下に移動させて型枠の床面載置片を上記他方の部屋空間の床面の上面に沿わせることができ、つまり、出入口での確実な下枠の設置が行われてシール性を向上させると共に、出入口での段差を略無くすることができて出入口のバリアフリー構造が確保されるものである。
【図面の簡単な説明】
【図１】本発明の実施の形態の例を示す断面側面図である。
【図２】同上の斜視図である。
【図３】同上の清掃作業を示すものであり、（ａ）は止水板カバーを上方に回動させて水止め板をスライド移動させる状態を示す斜視図であり、（ｂ）は水止め板を上方に回動させて水止め板を下枠から取り外す状態を示す斜視図である。
【図４】同上の下枠に止水板を取り付けたものを示すものであり、（ａ）は上面図であり、（ｂ）は側面図である。
【図５】図４の下枠に更に水止め板及び蓋を取り付けたものを示すものであり、（ａ）は上面図であり、（ｂ）は一部透視側面図である。
【図６】同上の下枠からの可動蓋の取り外しを示す斜視図である。
【図７】（ａ）は同上の下枠を固着具を介して下枠設置面に取り付ける状態を示す斜視図であり、（ｂ）は上記固着具の側面断面図である。
【図８】（ａ）は同上の下枠の型枠装着部及び型枠を示す部分拡大断面図であり、（ｂ）は調整ボルトの側面図である。
【図９】同上の止水板と止水板カバーとの係合状態を示すもので、（ａ）は正面図であり、（ｂ）は上面図であり、（ｃ）は側面断面図である。
【図１０】同上の止水板に対する止水板カバー及び水止め板の回動動作を示す側面図である。
【図１１】本発明の実施の形態の他例として閉塞部材を折り畳み扉で構成した例を示すものであり，（ａ）は上面図であり、（ｂ）は側面図である。
【図１２】同上の下枠部分を示すものであり、（ａ）は上面図であり、（ｂ）は側面図である。
【図１３】従来技術の例を示す斜視図である。
【図１４】図１３の例の清掃作業を示すものであり、（ａ）は止水板カバーを止水板に螺着したねじを工具を使用して取り外す状態を示す斜視図であり、（ｂ）は止水板カバーを止水板から取り外した後の水止め板をスライド移動させている状態を示す示す斜視図であり、（ｃ）は水止め板を上方に回動させて水止め板を下枠から取り外す状態を示す斜視図である。
【符号の説明】
１  出入口
２  下枠
３  止水板
４  閉塞部材
５  水止め板
６  止水板カバー
７  排水溝
８  蓋
９  支持部材
【図１】
0003562471.tif 000002
【図２】
0003562471.tif 000003
【図３】
0003562471.tif 000004
【図４】
0003562471.tif 000005
【図５】
0003562471.tif 000006
【図６】
0003562471.tif 000007
【図７】
0003562471.tif 000008
【図８】
0003562471.tif 000009
【図９】
0003562471.tif 000010
【図１０】
0003562471.tif 000011
【図１１】
0003562471.tif 000012
【図１２】
0003562471.tif 000013
【図１３】
0003562471.tif 000014
【図１４】
0003562471.tif 000015